(57)【要約】【課題】本発明は有走査電極及び維持電極を駆動することができる統合された駆動ボードを有するプラズマ表示装置を提供する。【解決手段】プラズマ表示パネルの駆動方法において、維持電極を接地電圧でバイアスした状態で、走査電極にリセット機能、アドレス機能、及び維持放電機能を有する波形を印加する。そして、前記走査電極にリセット機能や維持放電機能を有する波形を印加する時には接地電圧でバイアスしない。このようにすると、維持電極を駆動するボード及び接地電圧を供給するためのスイッチを除去することができ、これにより駆動ボード費用を節減することができる。【選択図】図９
2005338839.tif 000002
【特許請求の範囲】
【請求項１】
複数の第１電極、複数の第２電極、及び前記第１電極及び第２電極に交差する方向に形成される複数の第３電極を含むプラズマ表示パネルで、一つのフレームを複数のサブフィールドに分けて駆動する方法において、
前記第２電極の電圧を第１電圧でバイアスした状態で、
アドレス期間で選択されない前記第１電極に負の第２電圧を印加し、選択される前記第１電極に前記第２電圧より低い第３電圧を印加する段階と、
前記第１電極の電圧を前記第２電圧から正の第４電圧まで増加させる段階と、
維持期間で前記第１電極に前記第４電圧が印加された後、前記第１電極に負の第５電圧及び前記第４電圧を交互に印加する段階と
を含むことを特徴とするプラズマ表示パネルの駆動方法。
【請求項２】
前記第１電極に前記第５電圧が印加された後、前記第１電極に正の第６電圧を印加する段階と、
リセット期間で前記第１電極の電圧を前記第６電圧から第７電圧まで漸進的に増加させる段階と
をさらに含むことを特徴とする、請求項１に記載のプラズマ表示パネルの駆動方法。
【請求項３】
前記リセット期間で前記第１電極の電圧を正の第８電圧から負の第９電圧まで漸進的に減少させる段階をさらに含むことを特徴とする、請求項２に記載のプラズマ表示パネルの駆動方法。
【請求項４】
前記第６電圧が前記第４電圧と同一であることを特徴とする、請求項２に記載のプラズマ表示パネルの駆動方法。
【請求項５】
前記第４電圧の大きさの絶対値が前記第５電圧の大きさの絶対値と同一であることを特徴とする、請求項１乃至請求項４のいずれか一項に記載のプラズマ表示パネルの駆動方法。
【請求項６】
前記第１電圧が接地電圧であることを特徴とする、請求項１乃至請求項４のいずれか一項に記載のプラズマ表示パネルの駆動方法。
【請求項７】
リセット期間で前記第２電極の電圧が第１電圧でバイアスされることを特徴とする、請求項１乃至請求項４のいずれか一項に記載のプラズマ表示パネルの駆動方法。
【請求項８】
複数の第１電極、複数の第２電極、及び前記第１電極及び第２電極に交差する方向に形成される複数の第３電極を含むプラズマ表示パネルと、
そして、前記第２電極及び前記第３電極に前記プラズマ表示パネルが映像を表示するための駆動波形を印加して、前記映像が表示される間に前記第２電極を第１電圧でバイアスする駆動ボードと、
前記プラズマ表示パネルと対向しているシャーシベースと
を含み、
前記駆動ボードは、複数の第１電極に各々電気的に連結され、アドレス期間で走査電圧及び非走査電圧を前記第１電極に選択的に印加する複数の選択回路と、
前記走査電圧を供給する第１電源に第１端が連結され、前記複数の選択回路を通じて前記複数の第１電極に第２端が連結される第１スイッチと、
維持放電のための正の第２電圧を供給する第２電源に第１端が連結され、前記複数の選択回路を通じて前記複数の第１電極に第２端が連結される第２スイッチと、
前記維持放電のための負の第３電圧を供給する第３電源に第１端が連結され、前記複数の選択回路を通じて前記複数の第１電極に第２端が連結される第３スイッチとを含み、
アドレス期間で前記複数の第１電極に非走査電圧が印加された状態で、維持期間で前記非走査電圧が遮断されて前記第２スイッチがターンオンされて前記第２電圧が前記第１電極に印加されることを特徴とする、プラズマ表示装置。
【請求項９】
前記駆動ボードは、前記第２電圧より高い第４電圧を供給する第４電源に第１端が連結され、前記複数の選択回路を通じて前記複数の第１電極に第２端が連結され、前記第１電極の電圧が漸進的に増加するように動作する第４スイッチをさらに含み、
維持期間で前記第３スイッチがターンオンされて前記第３電圧が前記第１電極に印加された状態で、リセット期間で前記第３スイッチがターンオフされて前記第２スイッチがターンオンされて前記第２電圧が前記第１電極に印加され、前記第２スイッチがターンオフされて前記第４スイッチがターンオンされて前記第４電圧が前記第１電極に印加されることを特徴とする、請求項８に記載のプラズマ表示装置。
【請求項１０】
前記駆動ボードは、第４電圧を充電し、負極が前記第２スイッチ及び前記第３スイッチの接点に連結されるキャパシタと、
前記キャパシタの正極に第１端が連結され、前記複数の選択回路を通じて前記複数の第１電極に第２端が連結され、前記第１電極の電圧が漸進的に増加するように動作する第４スイッチと
をさらに含み、
維持期間で前記第３スイッチがターンオンされて前記第３電圧が前記第１電極に印加された状態で、リセット期間で前記第３スイッチがターンオフされて前記第２スイッチがターンオンされて前記第２電圧が前記第１電極に印加され、前記第２スイッチがターンオンされた状態で前記第４スイッチがターンオンされて前記第１電極の電圧を前記第２電圧から前記第２電圧及び第４電圧の合計まで上昇させることを特徴とする、請求項８に記載のプラズマ表示装置。
【請求項１１】
前記キャパシタの正極は第３電圧及び前記第４電圧の合計に該当する電圧を供給する第４電源に連結され、前記第３スイッチがターンオンされて前記キャパシタに前記第４電圧が充電されることを特徴とする、請求項１０に記載のプラズマ表示装置。
【請求項１２】
前記第１電圧は接地電圧であることを特徴とする、請求項８乃至請求項１１のいずれか一項に記載のプラズマ表示装置。
【発明の詳細な説明】
【技術分野】
【０００１】
本発明はプラズマ表示パネル（ＰＤＰ）の駆動方法に関する。
【背景技術】
【０００２】
プラズマ表示パネルは、気体放電によって生成されたプラズマを用いて文字または映像を表示する平面表示装置であって、その大きさに応じて数十から数百万個以上の画素がマトリックス形態に配列されている。このようなプラズマ表示パネルは、印加される駆動電圧波形の形態及び放電セルの構造によって、直流型及び交流型に区分される。
【０００３】
直流型プラズマ表示パネルは、電極が放電空間にそのまま露出されているために電圧が印加される間に放電空間に電流がそのまま流れる。この電流の制限のために、直流型プラズマ表示パネルは、直列抵抗を必要とする短所がある。これに対して、交流型プラズマ表示パネルは、電極を誘電体層が覆っているために自然な直列キャパシタンス成分の形成により電流が制限されて放電時のイオンの衝撃から電極が保護されるので、直流型に比べて寿命が長いという長所がある。
【０００４】
このような交流型プラズマ表示パネルには、その一側面に互いに平行な走査電極及び維持電極が形成され、他側面にこれらの電極と直交する方向にアドレス電極が形成される。そして、維持電極は各走査電極に対応して形成され、その一端が互いに共通に連結されている。
【０００５】
図１は一般的な交流型プラズマ表示パネルの一部の斜視図である。
図１に示したように、プラズマ表示パネルは、互いに離れて対向している二つのガラス基板１、６を含む。ガラス基板１上には走査電極４及び維持電極５が対になって平行に形成されており、走査電極４及び維持電極５は誘電体層２及び保護膜３で覆われている。ガラス基板６上には複数のアドレス電極８が形成されており、アドレス電極８は絶縁体層７で覆われている。アドレス電極８の間にある絶縁体層７上にはアドレス電極８及び隔壁９が形成されている。また、絶縁体層７の表面及び隔壁９の両側面に蛍光体１３が形成されている。ガラス基板１、６は、走査電極４とアドレス電極８及び維持電極５とアドレス電極８が直交するように、放電空間１１を隔てて対向して配置されている。アドレス電極８と対になる走査電極４及び維持電極５との交差部にある放電空間１１が放電セル１２を形成する。
【０００６】
図２は一般的な交流型プラズマ表示パネルの駆動波形を示す図面である。
一般に、交流型プラズマ表示パネルは、１フレームが複数のサブフィールドに分割されて駆動され、各サブフィールドはリセット期間、アドレス期間、維持期間、及び消去期間からなる。リセット期間は以前の維持放電で形成された壁電荷を消去して次のアドレス放電を安定的に行うために壁電荷をセットアップ（ｓｅｔｕｐ）する期間である。アドレス期間はパネルで点灯されるセルと点灯されないセルを選択して点灯されるセル（アドレシングされたセル）に壁電荷を形成される動作を行う期間である。維持期間はアドレシングされたセルに実際に映像を表示するための維持放電を行う期間である。消去期間はセルの壁電荷を減少させて維持放電を終了させる期間である。
【０００７】
図２に示したように、維持期間では走査電極Ｙ及び維持電極Ｘに交互に維持放電パルスが印加され、維持期間後の消去期間では維持電極Ｘになだらかに上昇するランプ電圧が印加される。その後、リセット期間ではアドレス電極Ａが基準電圧を維持して維持電極Ｘが一定の電圧でバイアスされた状態で走査電極Ｙにリセット波形が印加される。そして、アドレス期間では走査電極Ｙ及び維持電極Ｘが各々一定の電圧を維持した状態で表示しようとする放電セルを選択するために走査電極Ｙ及びアドレス電極Ａに各々アドレス波形が印加される。
【０００８】
従って、走査電極Ｙを駆動するための走査駆動ボード及び維持電極Ｘを駆動するための維持駆動ボードが別々に存在しなければならない。このように駆動ボードが別々に存在すると、シャーシベースに駆動ボードを実装する手間がかかり、また、二つの駆動ボードによって単価が増加するという問題がある。
【０００９】
これに対し、二つの駆動ボードを一つに統合して走査電極の一端に形成し、維持電極の一端を長く延長して統合された駆動ボードに連結する方法が提案された。ところが、このように二つの駆動ボードを統合すると、長く延長された維持電極で形成されるインピーダンス成分が大きくなるという問題点がある。
【発明の開示】
【発明が解決しようとする課題】
【００１０】
本発明が目的とする技術的課題は、有走査電極及び維持電極を駆動することができる統合された駆動ボードを有するプラズマ表示装置を提供することにある。また、本発明は、統合された駆動ボードに適した駆動波形を提供することをその技術的課題とする。
【００１１】
このような課題を解決するために、本発明は、維持電極を一定の電圧でバイアスし、走査電極に駆動波形を印加する。
【課題を解決するための手段】
【００１２】
本発明の一つの特徴によると、複数の第１電極、複数の第２電極、及び前記第１電極及び第２電極に交差する方向に形成される複数の第３電極を含むプラズマ表示パネルで、一つのフレームを複数のサブフィールドに分けて駆動する方法が提供される。この駆動方法は、前記第２電極の電圧を第１電圧でバイアスした状態で、アドレス期間で選択されない前記第１電極に負の第２電圧を印加し、選択される前記第１電極に前記第２電圧より低い第３電圧を印加する段階と、前記第１電極の電圧を前記第２電圧から正の第４電圧まで増加させる段階と、維持期間で前記第１電極に前記第４電圧が印加された後、前記第１電極に負の第５電圧及び前記第４電圧を交互に印加する段階とを含む。そして、この駆動方法は、前記第１電極に前記第５電圧が印加された後、前記第１電極に正の第６電圧を印加する段階と、そして、リセット期間で前記第１電極の電圧を前記第６電圧から第７電圧まで漸進的に増加させる段階とをさらに含むことができ、前記リセット期間で前記第１電極の電圧を正の第８電圧から負の第９電圧まで漸進的に減少させる段階とをさらに含むことができる。この時、前記第６電圧が前記第４電圧と同一であることができ、前記第４電圧の大きさの絶対値が前記第５電圧の大きさの絶対値と同一であることができる。そして、前記第１電圧が接地電圧であることができ、リセット期間で前記第２電極の電圧が第１電圧でバイアスされることができる。
【００１３】
そして、本発明の他の特徴によると、複数の第１電極、複数の第２電極、及び前記第１電極及び第２電極に交差する方向に形成される複数の第３電極を含むプラズマ表示パネルと、そして、前記第２電極及び前記第３電極に前記プラズマ表示パネルが映像を表示するための駆動波形を印加して、前記映像が表示される間に前記第２電極を第１電圧でバイアスする駆動ボードと、前記プラズマ表示パネルと対向しているシャーシベースとを含むプラズマ表示装置が提供される。この時、前記駆動ボードは、複数の第１電極に各々電気的に連結され、アドレス期間で走査電圧及び非走査電圧を前記第１電極に選択的に印加する複数の選択回路と、前記走査電圧を供給する第１電源に第１端が連結され、前記複数の選択回路を通じて前記複数の第１電極に第２端が連結される第１スイッチと、維持放電のための正の第２電圧を供給する第２電源に第１端が連結され、前記複数の選択回路を通じて前記複数の第１電極に第２端が連結される第２スイッチと、前記維持放電のための負の第３電圧を供給する第３電源に第１端が連結され、前記複数の選択回路を通じて前記複数の第１電極に第２端が連結される第３スイッチとを含み、アドレス期間で前記複数の第１電極に非走査電圧が印加された状態で、維持期間で前記非走査電圧が遮断されて前記第２スイッチがターンオンされて前記第２電圧が前記第１電極に印加されることができる。この時、前記駆動ボードは、前記第２電圧より高い第４電圧を供給する第４電源に第１端が連結され、前記複数の選択回路を通じて前記複数の第１電極に第２端が連結され、前記第１電極の電圧が漸進的に増加するように動作する第４スイッチをさらに含み、維持期間で前記第３スイッチがターンオンされて前記第３電圧が前記第１電極に印加された状態で、リセット期間で前記第３スイッチがターンオフされて前記第２スイッチがターンオンされて前記第２電圧が前記第１電極に印加され、前記第２スイッチがターンオフされて前記第４スイッチがターンオンされて前記第４電圧が前記第１電極に印加されることができる。そして、前記駆動ボードは、第４電圧を充電し、負極が前記第２スイッチ及び前記第３スイッチの接点に連結されるキャパシタと、前記キャパシタの正極に第１端が連結され、前記複数の選択回路を通じて前記複数の第１電極に第２端が連結され、前記第１電極の電圧が漸進的に増加するように動作する第４スイッチとをさらに含み、維持期間で前記第３スイッチがターンオンされて前記第３電圧が前記第１電極に印加された状態で、リセット期間で前記第３スイッチがターンオフされて前記第２スイッチがターンオンされて前記第２電圧が前記第１電極に印加され、前記第２スイッチがターンオンされた状態で前記第４スイッチがターンオンされて前記第１電極の電圧を前記第２電圧から前記第２電圧及び第４電圧の合計まで上昇させることができる。前記キャパシタの正極は第３電圧及び前記第４電圧の合計に該当する電圧を供給する第４電源に連結され、前記第３スイッチがターンオンされて前記キャパシタに前記第４電圧が充電される。
【発明の効果】
【００１４】
本発明によれば、維持電極は一定の電圧でバイアスされた状態で、走査電極にだけ駆動波形が印加されるので、維持電極を駆動するボードを除去することができる。つまり、実質的に一つのボードだけで駆動する統合ボードを実現することができ、駆動回路において駆動スイッチを減少させることができるので、単価が低減される。
【００１５】
そして、走査電極及び維持電極を各々の駆動ボードで駆動する場合には、リセット期間及びアドレス期間での駆動波形を主に走査駆動ボードから供給するので、走査駆動ボード及び維持駆動ボードに形成されるインピーダンスが異なる。これにより、維持期間で走査電極に印加される維持放電パルス及び維持電極に印加される維持放電パルスが変わることがある。しかし、本発明によれば、維持放電のためのパルスが走査駆動ボードからだけ供給されるので、インピーダンスが常に一定である。
【発明を実施するための最良の形態】
【００１６】
以下では、添付した図面を参考にして、本発明の実施形態について、本発明が属する技術分野における通常の知識を有する者が容易に実施することができるように詳細に説明する。しかし、本発明は多様な異なる形態で実現でき、ここで説明する実施形態に限定されない。図面においては、本発明を明確に説明するために、説明と関係のない部分は省略した。明細書の全体を通じて類似した部分については、同一図面符号を付けた。
【００１７】
そして、本発明で言及される壁電荷とは、セルの壁（例えば、誘電体層）上で各電極近くに形成される電荷を言う。そして、壁電荷は実際には電極自体に接触しないが、ここでは電極に“形成される”、“蓄積される”、または“積まれる”のように説明する。また、壁電圧は壁電荷によってセルの壁に形成される電位差を言う。
【００１８】
次に、本発明の実施形態によるプラズマ表示パネルの駆動方法及びプラズマ表示装置について、図面を参考にして詳細に説明する。
まず、本発明の実施形態によるプラズマ表示装置の概略的な構造について、図３乃至図５を参照して詳しく説明する。
【００１９】
図３は本発明の実施形態によるプラズマ表示装置の分解斜視図であり、図４は本発明の実施形態によるプラズマ表示パネルの概略的な概念である。図５は本発明の実施形態によるシャーシベースの概略的な平面図である。
【００２０】
図３に示したように、プラズマ表示装置は、プラズマ表示パネル１０、シャーシベース２０、前面ケース３０、及び後面ケース４０を含む。
【００２１】
シャーシベース２０は、プラズマ表示パネル１０で映像が表示される面の反対側に配置され、プラズマ表示パネル１０と結合される。
【００２２】
前面ケース３０及び後面ケース４０は、プラズマ表示パネル１０の前面及びシャーシベース２０の後面に各々配置され、プラズマ表示パネル１０及びシャーシベース２０と結合されてプラズマ表示装置を形成する。
【００２３】
そして、図４のように、プラズマ表示パネル１０は、縦方向にのびている複数のアドレス電極Ａ１〜Ａｍ、そして横方向にのびている複数の走査電極Ｙ１〜Ｙｎ及び複数の維持電極Ｘ１〜Ｘｎを含む。
維持電極Ｘ１〜Ｘｎは各走査電極Ｙ１〜Ｙｎに対応して形成され、一般に、その一端が互いに共通に連結されている。
【００２４】
そして、プラズマ表示パネル１０は、維持電極Ｘ１〜Ｘｎ及び走査電極Ｙ１〜Ｙｎが配列された絶縁基板及びアドレス電極Ａ１〜Ａｍが配列された絶縁基板を含む。
【００２５】
二つの絶縁基板は、走査電極Ｙ１〜Ｙｎとアドレス電極Ａ１〜Ａｍ及び維持電極Ｘ１〜Ｘｎとアドレス電極Ａ１〜Ａｍが各々直交するように放電空間を隔てて対向して配置されている。この時、アドレス電極Ａ１〜Ａｍと維持電極Ｘ１〜Ｘｎ及び走査電極Ｙ１〜Ｙｎの交差部にある放電空間が放電セル１２を形成する。
【００２６】
図５に示したように、シャーシベース２０にはプラズマ表示パネル１０の駆動に必要なボード１００〜５００が形成されている。
【００２７】
アドレスバッファーボード１００は、シャーシベース２０の上部及び下部に各々形成されており、単一ボードからなることも複数のボードからなることもできる。図５ではデュアル駆動をするプラズマ表示装置を例に挙げて説明しているが、シングル駆動の場合には、アドレスバッファーボード１００は、シャーシベース２０の上部及び下部のうちのいずれか１ケ所に配置される。このようなアドレスバッファーボード１００は、映像処理及び制御ボード４００からアドレス駆動制御信号を受信して、表示しようとする放電セルを選択するための電圧を各アドレス電極Ａ１〜Ａｍに印加する。
【００２８】
走査駆動ボード２００は、シャーシベース２０の左側に配置されており、走査バッファーボード３００を通じて走査電極Ｙ１〜Ｙｎに電気的に連結されており、映像処理及び制御ボード４００から駆動信号を受信して、走査電極Ｙ１〜Ｙｎに駆動電圧を印加する。そして、維持電極Ｘ１〜Ｘｎは、一定の電圧でバイアスされている。
【００２９】
走査バッファーボード３００は、アドレス期間で走査電極Ｙ１〜Ｙｎを順次に選択するための電圧を走査電極Ｙ１〜Ｙｎに印加する。
【００３０】
そして、図５では、走査駆動ボード２００及び走査バッファーボード３００がシャーシベース２０の左側に配置されることを示したが、シャーシベース２０の右側に配置されても良い。また、走査バッファーボード３００は、走査駆動ボード２００と一体型に形成されても良い。
【００３１】
映像処理及び制御ボード４００は、外部から映像信号を受信して、アドレス電極Ａ１〜Ａｍの駆動に必要な制御信号及び走査電極Ｙ１〜Ｙｎの駆動に必要な制御信号を生成して、各々アドレス駆動ボード１００及び走査駆動ボード２００に印加する。電源ボード５００は、プラズマ表示装置の駆動に必要な電源を供給する。映像処理及び制御ボード４００及び電源ボード５００は、シャーシベース２０の中央に配置される。
【００３２】
次に、図６を参照して、本発明の第１実施形態によるプラズマ表示パネルの駆動波形について説明する。
図６は本発明の第１実施形態によるプラズマ表示パネルの駆動波形図である。以下では、便宜上、一つのセルを形成する走査電極（以下、“Ｙ電極”という）、維持電極（以下、“Ｘ電極”という）、及びアドレス電極（以下、“Ａ電極”という）に印加される駆動波形についてのみ説明する。そして、図６の駆動波形で、Ｙ電極に印加される電圧は走査駆動ボード２００及び走査バッファーボード３００から供給され、Ａ電極に印加される電圧はアドレスバッファーボード１００から供給される。また、Ｘ電極は基準電圧（図６では０Ｖ）でバイアスされているので、Ｘ電極に印加される電圧については説明を省略する。
【００３３】
図６のように、一つのサブフィールドは、リセット期間Ｐｒ、アドレス期間Ｐａ、及び維持期間Ｐｓを含み、リセット期間Ｐｒは上昇期間Ｐｒ１及び下降期間Ｐｒ２を含む。
【００３４】
リセット期間Ｐｒの上昇期間Ｐｒ１はＹ電極、Ｘ電極、及びＡ電極に壁電荷を形成する期間であり、下降期間Ｐｒ２は上昇期間Ｐｒ１で形成された壁電荷を一部消去してアドレス放電が容易に起こるようにする期間である。アドレス期間Ｐａは複数の放電セルの中から維持期間Ｐｓで維持放電を起こす放電セルを選択する期間である。維持期間Ｐｓは走査電極（Ｙ）に順次に維持放電パルスを印加して、アドレス期間Ｐａで選択された放電セルに維持放電を起こす期間である。
【００３５】
そして、プラズマ表示パネルには、各期間（Ｐｒ、Ｐａ、Ｐｓ）でＹ電極及びＸ電極に駆動電圧を印加する走査/維持駆動回路、そしてＡ電極に駆動電圧を印加するアドレス駆動回路が連結されて、一つの表示装置を構成する。
【００３６】
リセット期間Ｐｒの上昇期間Ｐｒ１では、Ａ電極及びＸ電極を基準電圧（図６では０Ｖ）に維持した状態で、Ｖｓ電圧からＶｓｅｔ電圧に向かってなだらかに上昇するランプ電圧がＹ電極に印加される。図６ではＹ電極の電圧がランプ形態で増加することを示した。Ｙ電極の電圧が増加する間にＹ電極とＸ電極との間及びＹ電極とＡ電極との間で微弱な放電（以下、“弱放電”という）が起こり、Ｙ電極には（−）壁電荷が形成されてＸ電極及びＡ電極には（＋）壁電荷が形成される。そして、電極の電圧が図６のように漸進的に変わる場合には、セルに弱放電が起こって、外部から印加された電圧及びセルの壁電圧の合計が放電開始電圧状態を維持するように壁電荷が形成される。このような原理については、ウェバー（Ｗｅｂｅｒ）の米国特許第５７４５０８６号明細書に開示されている。リセット期間Ｐｒでは、全てのセルの状態を初期化すべきであるため、Ｖｓｅｔ電圧は全ての条件のセルで放電が起こる程度の高さの電圧に設定する。また、Ｖｓ電圧は、一般に維持期間ＰｓでＹ電極に印加される電圧と同一な電圧であり、Ｙ電極とＸ電極との間の放電開始電圧より低い電圧である。
【００３７】
次に、下降期間Ｐｒ２では、Ａ電極を基準電圧に維持した状態で、Ｖｓ電圧からＶｎｆ電圧までなだらかに下降するランプ電圧をＹ電極に印加する。これにより、Ｙ電極の電圧が減少する間にＹ電極とＸ電極との間及びＹ電極とＡ電極との間で弱放電が起こって、Ｙ電極に形成された（−）壁電荷及びＸ電極及びＡ電極に形成された（＋）壁電荷が消去される。一般に、Ｖｎｆ電圧の大きさはＹ電極とＸ電極との間の放電開始電圧に近い値に設定される。そのため、Ｙ電極とＸ電極との間の壁電圧がほぼ０Ｖになるので、アドレス期間Ｐａでアドレス放電が起こらないセルが維持期間Ｐｓで誤放電するのを防止することができる。そして、Ａ電極は基準電圧に維持されているので、Ｖｎｆ電圧のレベルによってＹ電極とＡ電極との間の壁電圧が決定される。
【００３８】
次に、アドレス期間Ｐａで灯らせる（発光させる）セルを選択するために、Ｙ電極及びＡ電極に各々ＶｓｃＬ電圧を有する走査パルス及びＶａ電圧を有するアドレスパルスを印加する。そして、選択されないＹ電極はＶｓｃＬ電圧より高いＶｓｃＨ電圧でバイアスし、灯らせない（発光させない）セルのＡ電極には基準電圧を印加する。このような動作を行うために、走査バッファーボード３００は、Ｙ電極Ｙ１〜ＹｎのうちのＶｓｃＬ電圧の走査パルスが印加されるＹ電極を選択する。例えばシングル駆動で縦方向に配列された順にしたがってＹ電極を選択する。そして、アドレスバッファーボード１００は、一つのＹ電極が選択される時に当該Ｙ電極によって形成されたセルを通過するＡ電極Ａ１〜ＡｍのうちのＶａ電圧のアドレスパルスが印加されるセルを選択する。
【００３９】
具体的に説明すると、まず、第１行のＹ電極（図４のＹ１）にＶｓｃＬ電圧の走査パルスを印加すると同時に第１行のうちの灯らせる（発光させる）セルに位置するＡ電極にＶａ電圧のアドレスパルスを印加する。これにより、第１行のＹ電極とＶａ電圧が印加されたＡ電極との間で放電が起こって、Ｙ電極に（＋）壁電荷、Ａ電極及びＸ電極に各々（−）壁電荷が形成される。その結果、Ｙ電極とＸ電極との間に、Ｙ電極の電位がＸ電極の電位より高く壁電圧Ｖｗｘｙが形成される。次に、第２行のＹ電極（図４のＹ２）にＶｓｃＬ電圧の走査パルスを印加すると同時に第２行のうちの灯らせ（発光させ）ようとするセルに位置するＡ電極にＶａ電圧のアドレスパルスを印加する。これにより、前記と同様に、Ｖａ電圧が印加されたＡ電極及び第２行のＹ電極によって形成されるセルでアドレス放電が起こって、セルに前記と同様な壁電荷が形成される。同様に、他の行のＹ電極に対しても順次にＶｓｃＬ電圧の走査パルスを印加すると同時に灯らせる（発光させる）セルに位置するＡ電極にＶａ電圧のアドレスパルスを印加して、壁電荷を形成する。
【００４０】
このようなアドレス期間Ｐａにおいて、ＶｓｃＬ電圧は、一般に、Ｖｎｆ電圧と同一であるか低いレベルに設定され、Ｖａ電圧は、基準電圧より高いレベルに設定される。例えば、ＶｓｃＬ電圧及びＶｎｆ電圧が同じである場合にＶａ電圧が印加される時にセルでアドレス放電が起こる理由について説明すると、リセット期間ＰｒでＶｎｆ電圧が印加された時に、Ａ電極とＹ電極との間の壁電圧及びＡ電極とＹ電極との間の外部電圧Ｖｎｆの合計はＡ電極とＹ電極との間の放電開始電圧Ｖｆａｙに決定される。ここで、アドレス期間ＰａでＡ電極に０Ｖが印加されてＹ電極にＶｓｃＬ（=Ｖｎｆ）電圧が印加される場合には、Ａ電極とＹ電極との間にはＶｆａｙ電圧が形成されるので放電が起こることがあるが、一般に、この場合の放電遅延時間が走査パルス及びアドレスパルスの幅より長いので放電が起こらない。ところが、Ａ電極にＶａ電圧が印加されてＹ電極にＶｓｃＬ（=Ｖｎｆ）電圧が印加される場合には、Ａ電極とＹ電極との間にはＶｆａｙ電圧より高い電圧が形成され、放電遅延時間が走査パルスの幅より減少するので、放電が起こることがある。この時、アドレス放電がよりよく起こるようにするために、ＶｓｃＬ電圧をＶｎｆ電圧より低い電圧に設定しても良い。
【００４１】
次に、アドレス期間Ｐａでアドレス放電が起こったセルでは、Ｘ電極に対するＹ電極の壁電圧Ｖｗｘｙが高い電圧に形成されるので、維持期間ＰｓではＹ電極にまずＶｓ電圧を有するパルスを印加してＹ電極とＸ電極との間で維持放電を起こす。この時、Ｖｓ電圧はＹ電極とＸ電極との間の放電開始電圧Ｖｆｘｙより低く、Ｖｓ＋Ｖｗｘｙ電圧がＶｆｘｙ電圧より低く設定される。維持放電の結果、Ｙ電極に（−）壁電荷が形成され、Ｘ電極及びＡ電極に（＋）壁電荷が形成され、Ｙ電極に対するＸ電極の壁電圧Ｖｆｙｘが高い電圧に形成される。
【００４２】
次に、Ｙ電極に対するＸ電極の壁電圧Ｖｆｙｘが高い電圧に形成されたので、Ｙ電極に−Ｖｓ電圧を有するパルスを印加してＹ電極とＸ電極との間で維持放電を起こす。その結果、Ｙ電極に（＋）壁電荷が形成され、Ｘ電極及びＡ電極に（−）壁電荷が形成されて、Ｙ電極にＶｓ電圧が印加される時に維持放電が起こる状態になる。その後、Ｙ電極にＶｓ電圧及び−Ｖｓ電圧の維持放電パルスを印加する過程を当該サブフィールドが表示する加重値に対応する回数だけ繰り返す。
【００４３】
このように、本発明の第１実施形態では、Ｘ電極を基準電圧でバイアスした状態で、Ｙ電極に印加される駆動波形だけでリセット動作、アドレス動作、及び維持放電動作を行うことができる。従って、Ｘ電極を駆動する駆動ボードを除去することができ、単にＸ電極を基準電圧でバイアスすればよい。
【００４４】
図６のように、本発明の第１実施形態では、リセット期間Ｐｒの下降期間Ｐｒ２でＹ電極に印加される最終電圧がＶｎｆ電圧に設定され、前記のように、この最終電圧ＶｎｆはＹ電極とＸ電極との間の放電開始電圧近くの電圧である。一般に、Ｙ電極とＡ電極との間の放電開始電圧ＶｆａｙがＹ電極とＸ電極との間の放電開始電圧Ｖｆｘｙより低いので、下降期間の最終電圧Ｖｎｆでは壁電荷によるＹ電極の電位がＡ電極の電位より高い。そのため、Ａ電極に対するＹ電極の壁電圧を（＋）の電圧に設定することができる。そして、アドレス放電が起こらないセルは維持放電も起こらないので、このような壁電荷の状態を維持しながら後のサブフィールドのリセット期間へ移行する。このような状態のセルではＸ電極に対するＹ電極の壁電圧よりＡ電極に対するＹ電極の壁電圧が高いので、リセット期間の上昇期間でＹ電極の電圧が増加する時、Ａ電極とＹ電極との間の電圧が放電開始電圧Ｖｆａｙを越えてから一定の期間が経過した後でＸ電極とＹ電極との間の電圧が放電開始電圧Ｖｆａｙを越える。
【００４５】
そして、リセット期間Ｐｒの上昇期間Ｐｒ１ではＹ電極に高い電圧が印加されるので、Ｙ電極が正極として作用し、Ａ電極及びＸ電極が負極として作用する。セルでの放電は、陽イオンが負極に衝突する時に負極から放出される２次電子の量によって決定され、これをγプロセスという。一般に、プラズマ表示パネルにおいて、Ａ電極は色相表現のために蛍光体で覆われている反面、Ｘ電極及びＹ電極は維持放電の効率のためにＭｇＯ膜のような２次電子放出係数が高い物質で覆われている。ところが、上昇期間Ｐｒ１でＡ電極とＹ電極との間の電圧が放電開始電圧Ｖｆａｙを越えても蛍光体で覆われているＡ電極が負極として作用するため、Ａ電極とＹ電と極の間での放電が遅延される。放電の遅延によって、Ａ電極とＹ電極との間で実際に放電が起こる時点では、Ａ電極とＹ電極との間の電圧が放電開始電圧Ｖｆａｙより高い電圧である。従って、このような高い電圧によって、Ａ電極とＹ電極との間で弱放電ではない強放電が起こる。このような強放電によって、Ｘ電極とＹ電極との間でも強放電が起こって、正常な上昇期間Ｐｒ１で生成される壁電荷より多量の壁電荷がセルに形成され、多量のプライミング粒子が生成される。
【００４６】
これにより、下降期間Ｐｒ２で形成される多量の壁電荷及びプライミング粒子によって強放電が起こって、Ｘ電極とＹ電極との間の壁電荷が十分に消去されない場合もある。このような状態のセルは、リセット期間終了後にもＸ電極とＹ電極との間に高い壁電圧が形成され、この壁電圧によってアドレス放電が起こらなくても維持期間でＸ電極とＹ電極との間で誤放電が起こることがある。このような誤放電を防止することができる実施形態について、図７を参照して詳細に説明する。
【００４７】
図７は本発明の第２実施形態によるプラズマ表示パネルの駆動波形図である。
図７に示したように、本発明の第２実施形態による駆動波形は、Ａ電極を一定の電圧（基準電圧より高い電圧）でバイアスするという点を除けば、本発明の第１実施形態による駆動波形と同一である。
【００４８】
リセット期間Ｐｒの上昇期間Ｐｒ１でＡ電極を一定の電圧（基準電圧より高い電圧）でバイアスした状態で、Ｙ電極の電圧をＶｓ電圧からＶｓｅｔ電圧まで漸進的に増加させる。この時、Ａ電極のバイアス電圧として図７のようにＶａ電圧を用いると、追加的な電源が使えない。Ａ電極の電圧がＶａ電圧でバイアスされた状態でＹ電極の電圧が増加すれば、Ａ電極とＹ電極との間の電圧が第１実施形態に比べて小さいので、Ｘ電極とＹ電極との間の電圧がＡ電極とＹ電極との間の電圧より先に放電開始電圧を越えるようになる。そのため、Ｘ電極とＹ電極との間で先に弱放電が起こり、この弱放電によってプライミング粒子が形成された状態で、Ａ電極とＹ電極との間の電圧が放電開始電圧を越えるようになる。そして、このプライミング粒子によってＡ電極とＹ電極との間では放電遅延が減少するので、前記のような強放電が起こらずに弱放電が起こって所望の量の壁電荷が形成されるようにすることができる。従って、リセット期間の下降期間でも弱放電が起こらず、維持期間での誤放電を防止することができる。
【００４９】
次に、図７の駆動波形を生成する駆動回路について、図８を参考にして詳細に説明する。図８は図７の駆動波形を生成するための駆動回路図である。以下で、各トランジスタは、各々アノードがソースに連結され、カソードがドレーンに連結されるボディーダイオードが形成されることができる。
【００５０】
図８に示したように、走査駆動ボード２００は、上昇リセット部２１１、下降リセット部２１２、走査駆動部２１３、維持放電部２１４、及び基準電圧供給部２１５を含む。図８では、説明の便宜上、一つのＹ電極及び一つの選択回路３１０だけ示し、Ｙ電極と隣接するＸ電極によって形成される容量成分をパネルキャパシタＣｐで示した。そして、パネルキャパシタＣｐのＸ電極は接地電圧でバイアスされているとした。
【００５１】
上昇リセット部２１１は、ダイオードＤｓｅｔ、キャパシタＣｓｅｔ、及びトランジスタＹｐｐ、Ｙｒｒを含み、Ｙ電極にＶｓ電圧からＶｓｅｔ電圧まで上昇する電圧を印加する。
【００５２】
キャパシタＣｓｅｔは、負極がトランジスタＹｐｐのソースとトランジスタＹｒｒのドレーンとの間に連結され、トランジスタＹｐｐのドレーン及びトランジスタＹｒｒのソースは各々第２ノードＮ２に連結される。この時、キャパシタＣｓｅｔは、下記で説明するトランジスタＹｇのターンオン時にＶｓｅｔ−Ｖｓ電圧に充電され、トランジスタＹｒｒのターンオン時にパネルキャパシタＣｐの電圧がＶｓｅｔ電圧までランプ形態で徐々に上昇するようにドレーンからソースに微細な電流が流れるように動作する。
【００５３】
そして、ダイオードＤｓｅｔは、Ｖｓｅｔ−Ｖｓ電圧を供給する電源Ｖｓｅｔ−ＶｓとトランジスタＹｒｒのドレーン及びキャパシタＣｓｅｔの接点との間に連結され、キャパシタＣｓｅｔ―ダイオードＤｓｅｔ―電源Ｖｓｅｔ−Ｖｓに向かう電流経路を遮断する。
【００５４】
下降リセット部２１２は、トランジスタＹｎｐ、Ｙｆｒ、Ｙｅｒを含み、パネルキャパシタＣｐにＶｓ電圧からＶｎｆ電圧まで下降する電圧を印加する。トランジスタＹｅｒ、Ｙｆｒのドレーンが第１ノードＮ１に連結され、トランジスタＹｅｒ、Ｙｆｒのソースが電源Ｖｎｆに連結されている。そして、トランジスタＹｅｒ、Ｙｆｒのターンオン時にＹ電極の電圧がＶｎｆ電圧まで漸進的に減少するようにドレーンからソースに微細な電流が流れるように動作する。この時、トランジスタＹｎｐは、Ｖｎｆ電圧が負電圧である時に形成されることがある電源ＧＮＤ―トランジスタＹｇ―トランジスタＹｐｐ―トランジスタＹｎｐ―トランジスタＹｆｒに向かう電流経路を遮断する。
【００５５】
走査駆動部２１３は、選択回路３１０、ダイオードＤｓｃｈ、キャパシタＣｓｃｈ、及びトランジスタＹｓｃＬを含み、Ｙ電極に順次に走査電圧であるＶｓｃＬ電圧を供給する。一般に、アドレス期間で複数のＹ電極Ｙ１〜Ｙｎを順次に選択することができるように各々のＹ電極Ｙ１〜Ｙｎに選択回路３１０がＩＣ形態で連結されており、このような選択回路３１０を通じて走査駆動ボード２００の駆動回路２１０がＹ電極Ｙ１〜Ｙｎに共通に連結される。
【００５６】
選択回路３１０は、トランジスタＳｃｈ、Ｓｃｌを含み、トランジスタＳｃｈのソース及びトランジスタＳｃｌのドレーンはパネルキャパシタＣｐのＹ電極に連結されており、トランジスタＳｃｌのソースは第１ノードＮ１に連結されている。
【００５７】
そして、キャパシタＣｓｃｈはトランジスタＳｃｈのドレーンと第１ノードＮ１との間に連結され、ダイオードＤｓｃｈはキャパシタＣｓｃｈ及びトランジスタＳｃｈのドレーンの間の接点と非走査電圧Ｖｓｃｈを供給する電源Ｖｓｃｈとの間に連結される。そして、キャパシタＣｓｃｈは、下記で説明するトランジスタＹｓｃＬのターンオン時にＶｓｃｈ−ＶｓｃＬ電圧に充電されて、キャパシタＣｓｃｈの第１端がトランジスタＳｃｈのドレーンに連結され、第２端が第１ノードＮ１に連結される。そして、トランジスタＹｓｃＬは、第１ノードＮ１と走査電圧ＶｓｃＬを供給する電源ＶｓｃＬとの間に連結され、選択しようとする放電セルを形成するＹ電極にＶｓｃＬ電圧を供給する。
【００５８】
つまり、アドレス期間ＰａでトランジスタＳｃｈをターンオンして選択されないＹ電極に非走査電圧ＶｓｃＨを印加し、トランジスタＳｃｌをターンオンして選択されるＹ電極に走査電圧ＶｓｃＬを印加する。
【００５９】
基準電圧供給部２１４は、トランジスタＹｇを含み、トランジスタＹｇは、第３ノードＮ３と接地電圧を供給する電源０Ｖとの間に連結され、Ｙ電極に接地電圧を供給する。
維持放電部２１５は、インダクタＬ、トランジスタＹｈ、Ｙｌ、Ｙｒ、Ｙｆ、ダイオードＤｒ、Ｄｆ、及びキャパシタＣ１を含み、維持期間でＹ電極にＶｓ電圧及び−Ｖｓ電圧を供給する。
【００６０】
トランジスタＹｈは、ドレーンがＶｓ電圧を供給する電源Ｖｓに連結され、ソースが第３ノードＮ３に連結され、トランジスタＹｌは、ドレーンが第３ノードＮ３に連結され、ソースが−Ｖｓ電圧を供給する電源−Ｖｓに連結されている。そして、第３ノードＮ３に第１端が連結されたインダクタＬの第２端にトランジスタＹｒのソースが連結され、キャパシタＣ１の第１端にトランジスタＹｒのドレーンが連結されている。トランジスタＹｆは、ドレーンがインダクタＬの第２端に連結され、ソースがキャパシタＣ１の第１端に連結されている。トランジスタＹｒ、Ｙｆのボディーダイオードによって形成されることがある電流を遮断するために、トランジスタＹｒ、Ｙｆのボディーダイオードと反対方向にダイオードＤｒ、Ｄｆが形成される。そして、キャパシタＣ１の第２端は電源−Ｖｓに連結されており、キャパシタＣ１にはＶｓ電圧に相当する電圧が充電されている。また、電源−ＶｓとインダクタＬの第２端との間及びインダクタＬの第２端と電源Ｖｓとの間にはインダクタＬの第２端の電位をクランピングするダイオードＤｙｈ、Ｄｙｌが形成されることもできる。
【００６１】
そして、図７の駆動波形では、ＶｓｃＬ電圧がＶｎｆ電圧より低いので、トランジスタＹｓｃＬのターンオン時にトランジスタＹｆｒ、Ｙｅｒのボディーダイオードを通じて電流経路が形成されることがある。この電流経路を遮断するために、図６に示したように、トランジスタ（Ｙｆｒ、Ｙｅｒ）のボディーダイオードに対して反対方向にボディーダイオードが形成されるトランジスタＹｆｒ１、Ｙｅｒ１を追加的に形成することができる。また、トランジスタＹｆｒ１、Ｙｅｒ１の代りにダイオードを連結することもできる。
【００６２】
このように、本発明の第１及び第２実施形態では、Ｘ電極を基準電圧でバイアスした状態で、Ｙ電極に印加される駆動波形だけでリセット動作、アドレス動作、及び維持放電動作を行うことができる。従って、Ｘ電極を駆動する駆動ボードを除去することができ、単にＸ電極を基準電圧でバイアスする過程だけが重要である。
【００６３】
ところが、図７でリセット期間Ｐｒや維持期間ＰｓのＩ部分に示すように、走査電極Ｙに接地電圧が印加される。この時、駆動回路はスイッチング素子Ｙｇをターンオンして走査電極Ｙに接地電圧を供給する。しかし、リセット期間Ｐｒや維持期間ＰｓのＩ部分で走査電極Ｙの電圧を接地電圧でバイアスしなくてもよい。走査電極Ｙの電圧を接地電圧でバイアスしなければ接地電圧を供給するスイッチング素子を除去することができるので、回路費用を節減することができる効果がある。以下では、このような実施形態について、図９及び図１０を参照して詳細に説明する。
【００６４】
図９は本発明の第３実施形態によるプラズマ表示パネルの駆動波形図であり、図１０は図９の駆動波形を生成するための第１実施形態による駆動回路図である。
図９に示したように本発明の第３実施形態による駆動波形は、アドレス期間ＰａでＹ電極にＶｓｃＨ電圧が印加された状態で、アドレス期間Ｐａの終了後の維持期間ＰｓではＹ電極の電圧を直ちにＶｓ電圧まで上昇させ、Ｙ電極に−Ｖｓ電圧が印加された状態で、維持期間Ｐｓの終了後のリセット期間ＰｒではＹ電極の電圧を直ちにＶｓ電圧まで上昇させるという点を除けば、本発明の第１実施形態と同一である。
【００６５】
つまり、維持期間ＰｓではＹ電極にＶｓｃＨ電圧が印加された状態で、Ｖｓ電圧まで直ちに上昇させてＹ電極にＶｓ電圧から−Ｖｓ電圧までスイングする維持放電パルスを印加し、リセット期間Ｐｒでは維持期間ＰｓでＹ電極に−Ｖｓ電圧が印加された状態で、Ｖｓ電圧まで直ちに上昇させた後にＹ電極の電圧をＶｓ電圧からＶｓｅｔ電圧まで漸進的に上昇させる。
【００６６】
次に、図１０に示したように、本発明の第３実施形態による駆動回路は、接地電圧を供給するトランジスタＹｇを除去する代わりに、経路（１）を通じてキャパシタＣｓｅｔをＶｓｅｔ電圧に充電し、キャパシタＣｓｅｔの正極がＶｓｅｔ−２Ｖｓ電圧を供給する電源Ｖｓｅｔ−２Ｖｓと連結されるという点を除けば、図８の駆動回路と同一である。
【００６７】
つまり、図８のような駆動回路では、キャパシタＣｓｅｔをトランジスタＹｇをターンオンしてＶｓｅｔ−Ｖｓ電圧に充電したが、図１０の駆動回路では、トランジスタＹｇを除去して、キャパシタＣｓｅｔをトランジスタＹ１のターンオン時に−Ｖｓ電圧を供給する電源−ＶｓでＶｓｅｔ電圧に充電する（経路（１））。
【００６８】
このようにすると、トランジスタＹｇを除去しても、本発明の第３実施形態の駆動波形を生成することができる。以下では、図１１ａ、図１１ｂ、図１２ａ、及び図１２ｂを参考にして、維持期間及びリセット期間Ｐｒでの駆動波形を生成する方法について説明する。
【００６９】
図１１ａ乃至図１１ｂは図１０の駆動回路において維持期間Ｐｓでの駆動波形を生成するための各モードの電流経路を示す図面であり、図１２ａ乃至図１２ｂは図１０の駆動回路においてリセット期間Ｐｒでの駆動波形を生成するための各モードの電流経路を示す図面である。
【００７０】
まず、図１１ａのように、アドレス期間ＰａでトランジスタＹｓｃｈがターンオンされて選択されないＹ電極に非走査電圧Ｖｓｃｈが印加された状態で（経路（１））、トランジスタＹｓｃｈをターンオフしてトランジスタＹｈ、Ｙｐｐ、Ｙｎｐ、ＹｓｃｌをターンオンしてＹ電極の電圧をＶｓ電圧に増加させる（経路（２））。その後、トランジスタＹｈをターンオフしてトランジスタＹ１をターンオンしてＹ電極の電圧を−Ｖｓ電圧に下降させる（経路（３））。
【００７１】
このような動作を繰り返しながら（経路（２）、経路（３））、Ｙ電極にＶｓ電圧から−Ｖｓ電圧までスイングする維持放電パルスを印加することができる。
【００７２】
そして、図１１ａではハードスイッチングだけでＹ電極にＶｓ電圧または−Ｖｓ電圧を印加したが、ＬＣ共振を用いてＹ電極の電圧を変更することもできる。このような実施形態として、図１１ｂのように、アドレス期間でトランジスタＹｓｃｈがターンオンされて選択されないＹ電極に非走査電圧Ｖｓｃｈが印加された状態で（経路（１））、トランジスタＹｒ、Ｙｐｐ、Ｙｎｐ、ＹｓｃｌがターンオンされてインダクタＬとパネルキャパシタＣｐとの間で発生する共振によってＹ電極の電圧をＶｓ電圧近くまで上昇させる（経路（２））。次に、トランジスタＹｒがターンオフされてトランジスタＹｈがターンオンされて走査電極Ｙの電圧がＶｓ電圧に維持される。
【００７３】
そして、Ｙ電極の電圧がＶｓ電圧に維持された状態で、トランジスタＹｆがターンオンされて経路（２）と反対方向の電流が流れてインダクタＬとパネルキャパシタＣｐとの間で発生する共振によって走査電極Ｙの電圧が−Ｖｓ電圧近くまで下降する（経路（３））。次に、トランジスタＹｆがターンオフされてトランジスタＹｌがターンオンされて走査電極Ｙの電圧が−Ｖｓ電圧に維持される。
【００７４】
そして、図１２ａのように、維持期間でＹ電極に最後の維持放電パルスの−Ｖｓ電圧が印加された状態で（経路（１））、リセット期間ではトランジスタＹ１がターンオフされてトランジスタＹｈがターンオンされてＹ電極の電圧をＶｓ電圧に増加させる（経路（２））。次に、トランジスタＹｒｒがターンオンされてトランジスタＹｐｐがターンオフされてＹ電極にＶｓ電圧からＶｓｅｔ電圧まで漸進的に上昇する電圧が印加される（経路（３））。この時、Ｙ電極の電圧は電源（Ｖｓ）のＶｓ電圧及びキャパシタ（Ｃｓｅｔ）に充電された（Ｖｓｅｔ−Ｖｓ）電圧によってＶｓｅｔ電圧まで上昇する。
【００７５】
そして、Ｙ電極に最後の維持放電パルスの−Ｖｓ電圧が印加された状態で、Ｙ電極の電圧をＶｓ電圧に増加させる時、図１２ａの経路（２）のようにハードスイッチングをせずに図１２ｂの経路（３）のようにＬＣ共振を用いることもできる。
【００７６】
図１２ｂのように、Ｙ電極に最後の維持放電パルスの−Ｖｓ電圧が印加された状態で、トランジスタＹｒがターンオンされてインダクタＬとパネルキャパシタＣｐとの間で発生する共振によってＹ電極の電圧をＶｓ電圧近くまで増加させた後（経路（２））、トランジスタＹｒがターンオフされてトランジスタＹｈがターンオンされてＹ電極の電圧がＶｓ電圧に維持される（経路（２）´）。
【００７７】
そして、図１０乃至図１２で用いる駆動回路では、キャパシタＣｓｅｔに充電された電圧を用いてリセット期間でＹ電極の電圧をＶｓ電圧からＶｓｅｔ電圧まで漸進的に上昇させたが、キャパシタ（Ｃｓｅｔ）を除去することもできる。以下では、このような実施形態について、図１３を参考にして詳細に説明する。
【００７８】
図１３は図９の駆動波形を生成するための本発明の第２実施形態による駆動回路図である。
図１３に示したように、本発明の第２実施形態による駆動回路はキャパシタＣｓｅｔを除去する代わりにＶｓｅｔ電圧を供給する電源Ｖｓｅｔが第３ノードＮ３に連結されるという点を除けば、図１０の駆動回路と同一である。
図１３のように、リセット期間でＹ電極にＶｓ電圧が印加された状態で、スイッチング素子（ＹｒまたはＹｈ）がターンオフされてスイッチング素子ＹｒｒがターンオンされてＹ電極にＶｓｅｔ電圧を印加することができる（経路（３））。
【００７９】
そして、図１０乃至図１３の駆動回路は、パネルキャパシタＣｐの電力を回収して再使用する電力回収回路から構成されているが、電力回収回路を用いない場合もある。つまり、キャパシタＣ１を除去することもできる。以下では、このような実施形態について、図１４を参考にして詳細に説明する。
【００８０】
図１４は図９の駆動波形を生成するための本発明の第３実施形態による駆動回路図である。
図１４に示したように、キャパシタＣ１を除去する代わりにトランジスタＹｒのドレーンとトランジスタＹｆのソースとの間の接点を接地させるという点を除けば、図１０の駆動回路と同一である。そして、この回路の動作は前記と同様に行われ、このような回路の構成は図１０の駆動回路にも適用することができる。
【００８１】
以上で説明したように、本発明の実施形態によれば、Ｘ電極を一定の電圧でバイアスした状態で、Ｙ電極にだけ駆動波形を印加して、リセット動作、アドレス動作、及び維持放電動作を行うことができるので、Ｘ電極を駆動するボードを除去することができる。また、維持放電のためのパルスが走査駆動ボード３００からだけ供給されるので、維持放電パルスが印加される経路でのインピーダンスが一定になる。
【００８２】
そして、１フレームをなす複数のサブフィールドのリセット期間を全て上昇期間Ｐｒ１及び下降期間Ｐｒ２から形成することができるが、一部のサブフィールドのリセット期間を下降期間Ｐｒ２だけから形成することもできる。以下では、このような実施形態について、図１５を参考にして詳細に説明する。
【００８３】
図１５は本発明の第４実施形態によるプラズマ表示パネルの駆動波形図である。図１５では、便宜上、二つのサブフィールドを示し、二つのサブフィールドを各々第１サブフィールド及び第２サブフィールドで示した。
図１５のように、一つのフレームをなす複数のサブフィールドのうちの第１サブフィールドのリセット期間Ｐｒは、Ｙ電極の電圧をＶｓ電圧からＶｓｅｔ電圧まで漸進的に上昇させる上昇期間Ｐｒ１及びＹ電極の電圧をＶｓ電圧からＶｎｆ電圧まで漸進的に下降させる下降期間Ｐｒ２から形成されており、第２サブフィールドのリセット期間Ｐｒは、Ｙ電極の電圧をＶｓ電圧からＶｎｆ電圧まで漸進的に下降させる下降期間Ｐｒ２だけから形成されている。つまり、第１サブフィールドのリセット期間Ｐｒでは、上昇ランプ波形が印加された後で下降ランプ波形が印加されて、第２サブフィールドのリセット期間Ｐｒでは、下降ランプ波形だけが印加される。この時、第１サブフィールドの維持期間で維持放電が起こった場合には、Ｙ電極に（−）壁電荷、Ｘ電極及びＡ電極に（＋）壁電荷が形成されているので、Ｙ電極の電圧が漸進的に減少する間にセルに形成された壁電圧と共に放電開始電圧を越えるようになれば、第１サブフィールドのリセット期間の下降期間のように約放電が起こる。そして、Ｙ電極の最終電圧Ｖｎｆが第１サブフィールドの下降期間の最終電圧Ｖｎｆと同一なので、第２サブフィールドの下降期間終了後のセルの壁電荷の状態は、第１サブフィールドの下降期間終了後の壁電荷の状態と実質的に同一になる。
【００８４】
そして、第１サブフィールドの維持期間で維持放電が起こらない場合には、アドレス期間でもアドレス放電が起こらないので、セルの壁電荷の状態は第１サブフィールドの下降期間終了後の状態をそのまま維持する。第１サブフィールドの下降期間終了後にセルに形成された壁電圧は、印加電圧と共に放電開始電圧近くに形成されているので、Ｙ電極の電圧がＶｎｆ電圧まで減少する場合には放電が起こらない。従って、第２サブフィールドのリセット期間で放電が起こらないので、第１サブフィールドのリセット期間で設定された壁電荷の状態をそのまま維持する。
【００８５】
このように、リセット期間が下降期間からなるサブフィールドは、直前のサブフィールドで維持放電が起こる場合にはリセット放電が起こり、維持放電が起こらない場合にはリセット放電が起こらない。従って、一つのフィールドで最初のサブフィールドを第１サブフィールドのように形成し、他のサブフィールドを第２サブフィールドのように形成すれば、０階調（ブラック階調）を表示する時は最初のサブフィールドのリセット期間でだけリセット放電（弱放電）が起こるようになる。つまり、ブラック階調を表示する時に他のサブフィールドで放電が起こらないので、明暗比を高めることができる。
【００８６】
以上で、本発明の好ましい実施形態について詳細に説明したが、本発明の権利範囲はこれに限定されず、請求の範囲で定義している本発明の基本概念を利用した当業者の様々な変形及び改良形態も本発明の権利範囲に属する。
【図面の簡単な説明】
【００８７】
【図１】一般的な交流型プラズマ表示パネルの一部斜視図である。
【図２】従来の交流型プラズマ表示パネルの駆動波形図である。
【図３】本発明の実施形態によるプラズマ表示装置の分解斜視図である。
【図４】本発明の実施形態によるプラズマ表示パネルの概略的な概念である。
【図５】本発明の実施形態によるシャーシベースの概略的な平面図である。
【図６】本発明の第１実施形態によるプラズマ表示パネルの駆動波形図である。
【図７】本発明の第２実施形態によるプラズマ表示パネルの駆動波形図である。
【図８】図７の駆動波形を生成するための駆動回路図である。
【図９】本発明の第３実施形態によるプラズマ表示パネルの駆動波形図である。
【図１０】図９の駆動波形を生成するための第１実施形態による駆動回路図である。
【図１１Ａ】図１０の駆動回路において維持期間での駆動波形を生成するための各モードの電流経路を示す図である。
【図１１Ｂ】図１０の駆動回路において維持期間での駆動波形を生成するための各モードの電流経路を示す図である。
【図１２Ａ】図１０の駆動回路においてリセット期間での駆動波形を生成するための各モードの電流経路を示す図である。
【図１２Ｂ】図１０の駆動回路においてリセット期間での駆動波形を生成するための各モードの電流経路を示す図である。
【図１３】図９の駆動波形を生成するための本発明の第２実施形態による駆動回路図である。
【図１４】図９の駆動波形を生成するための本発明の第３実施形態による駆動回路図である。
【図１５】本発明の第４実施形態によるプラズマ表示パネルの駆動波形図である。
【符号の説明】
【００８８】
１０  プラズマ表示パネル
２０  シャーシベース
３０  前面ケース
４０  後面ケース
【図１】
2005338839.tif 000003
【図２】
2005338839.tif 000004
【図３】
2005338839.tif 000005
【図４】
2005338839.tif 000006
【図５】
2005338839.tif 000007
【図６】
2005338839.tif 000008
【図７】
2005338839.tif 000009
【図８】
2005338839.tif 000010
【図９】
2005338839.tif 000011
【図１０】
2005338839.tif 000012
【図１１Ａ】
2005338839.tif 000013
【図１１Ｂ】
2005338839.tif 000014
【図１２Ａ】
2005338839.tif 000015
【図１２Ｂ】
2005338839.tif 000016
【図１３】
2005338839.tif 000017
【図１４】
2005338839.tif 000018
【図１５】
2005338839.tif 000019